(57)【要約】【課題】引出の内部の収納空間を区画する部材として複数のポケットを設ける際に美観を好適に維持することが可能な収納庫を提供することを目的とする。【解決手段】本発明にかかる収納庫の構成は、被収納物を収納可能な引出１３２をスライド自在に収容可能な収納庫（ベースキャビネット１３０）であって、引出１３２の前板１３４の裏側に配置される複数のポケット（左ポケット１５０ａ・右ポケット１５０ｂ）と、複数のポケットの上部を連結するスペーサー１６０と、を備え、ポケットにはスペーサー１６０を取り付ける位置に切欠き１５４が設けられていて、スペーサー１６０をポケットに取り付けたときのスペーサー１６０の上面１６０ａの高さは、複数のポケットの上縁１５１の高さと同じであることを特徴とする。【選択図】図２
2019195401.tif 000002
【特許請求の範囲】
【請求項１】
被収納物を収納可能な引出をスライド自在に収容可能な収納庫であって、
前記引出の前板の裏側に配置される複数のポケットと、
前記複数のポケットの上部を連結するスペーサーと、
を備え、
前記ポケットには前記スペーサーを取り付ける位置に切欠きが設けられていて、
前記スペーサーをポケットに取り付けたときの該スペーサーの上面の高さは、前記複数のポケットの上縁の高さと同じであることを特徴とする収納庫。
【請求項２】
前記スペーサーは、上面から前記ポケットの内側に向かって下降する傾斜面を有していることを特徴とする請求項１に記載の収納庫。
【請求項３】
前記複数のポケットのうち、前記引出の側板に面する２つのポケットは、該引出のギャラリーパイプに係止する係止部を有し、
前記２つのポケットのうち、一方のポケットの前記係止部の幅は前記ギャラリーパイプの直径に倣う幅であり、他方のポケットの前記係止部の幅は該一方のポケットの係止部の幅より大きいことを特徴とする請求項１または２に記載の収納庫。
【発明の詳細な説明】
【技術分野】
【０００１】
本発明は、被収納物を収納可能な引出をスライド自在に収容可能な収納庫に関する。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年はキッチンの使用態様の研究がすすみ、引出などに収納される被収納物をある程度想定し、引出の大きさや仕切りの形状を工夫することにより、使い勝手の向上を図られている。
【０００３】
例えば特許文献１では、上面開口の引出箱体内に複数の収納器体を複数並設した引出し装置が開示されている。特許文献１では、複数の収納器体にＵ字連結部材を嵌合挟着することにより、それらを連結している。特許文献１のように引出の内部の収納空間を収納器体等によって区画することにより、被収納物を用途や種類別に整理して収納可能となるため、使用者の利便性の向上を図ることができる。
【先行技術文献】
【特許文献】
【０００４】
【特許文献１】特開平１０−１７９２９４号公報
【発明の概要】
【発明が解決しようとする課題】
【０００５】
特許文献１では、収納器体の奥行きは引出の奥行きとほぼ同じであり、２つの収納器体によって引出の内部を幅方向に２つの収納空間に区画している。しかしながら、引出において奥側の空間は、引出を全開とした状態にようやく被収納物の取り出しが可能となる空間である。このため、引出を手前側の空間および奥側の空間に区画すれば、頻繁に使用する物品は手前側の空間に収納し、使用頻度が低い物品は奥側の空間に収納するというように使い分けができ、使用者の利便性を更に高められるものと考えられる。
【０００６】
引出の手前側の空間と奥側の空間を区画する手法としては、区画する部材の奥行きを引出の奥行きよりも浅くすることが考えられる。すると、区画する部材は、特許文献１のような上面が開口したコの字状の仕切ではなく、４つの側面を有するポケット形状の部材となる。このため、特許文献１のように収納器体の縁に単に嵌合するＵ字連結部材であると、ポケット形状の部材の奥側側面の縁よりも連結部材が突出した状態となってしまうため、美観が損ねてしまうという。
【０００７】
本発明は、このような課題に鑑み、引出の内部の収納空間を区画する部材として複数のポケットを設ける際に美観を好適に維持することが可能な収納庫を提供することを目的としている。
【課題を解決するための手段】
【０００８】
上記課題を解決するために、本発明にかかる収納庫の代表的な構成は、被収納物を収納可能な引出をスライド自在に収容可能な収納庫であって、引出の前板の裏側に配置される複数のポケットと、複数のポケットの上部を連結するスペーサーと、を備え、ポケットにはスペーサーを取り付ける位置に切欠きが設けられていて、スペーサーをポケットに取り付けたときのスペーサーの上面の高さは、複数のポケットの上縁の高さと同じであることを特徴とする。
【０００９】
上記構成によれば、収納庫の引出の内部の収納空間は、引出の前板の裏側に配置される複数のポケットによって区画される。このとき、複数のポケットの上部を連結するスペーサーの上面の高さは、複数のポケットの上縁の高さと同じである。このため、連結部材であるスペーサーの上面が複数のポケットの上縁よりも突出することがなく、それらが面一（つらいち）となる。したがって、引出の内部に複数のポケットを設ける際の美観を好適に維持することが可能となる。
【００１０】
上記スペーサーは、上面からポケットの内側に向かって下降する傾斜面を有しているとよい。かかる構成によれば、ポケットへの被収納物の出し入れの際にスペーサーが干渉しにくくなる。したがって、ポケットへの被収納物の出し入れをスムーズに行うことができる。
【００１１】
上記複数のポケットのうち、引出の側板に面する２つのポケットは、引出のギャラリーパイプに係止する係止部を有し、２つのポケットのうち、一方のポケットの係止部の幅はギャラリーパイプの直径に倣う幅であり、他方のポケットの係止部の幅は一方のポケットの係止部の幅より大きいとよい。
【００１２】
かかる構成によれば、一方のポケットの係止部の幅はギャラリーパイプの直径とほぼ同一であり、他方のポケットの係止部の幅は、ギャラリーパイプの直径よりも大きくなる。したがって、引出の側板に面する２つのポケットのうち、一方のポケットの係止部はギャラリーパイプにほぼ隙間なく係止し、他方のポケットの係止部はギャラリーパイプに遊びを持った状態で係止することになる。これにより、ポケットやスペーサー、ギャラリーパイプの寸法誤差を他方のポケットの係止部において吸収することが可能となる。
【発明の効果】
【００１３】
本発明によれば、引出の内部の収納空間を区画する部材として複数のポケットを設ける際に美観を好適に維持することが可能な収納庫を提供することができる。
【図面の簡単な説明】
【００１４】
【図１】本実施形態にかかる収納庫を備えるキッチンを示す図である。
【図２】ベースキャビネットの引出を説明する図である。
【図３】スペーサーによる複数のポケットの連結について説明する図である。
【図４】スペーサーの詳細図である。
【図５】ポケットの係止部を説明する図である。
【図６】引出の前板へのポケットの固定について説明する図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（キッチン）
図１は、本実施形態にかかる収納庫を備えるキッチン１００を示す図である。なお、本実施形態では、キッチン１００に備えられる収納庫（ベースキャビネット１３０）を例示するが、これに限定するものではなく、被収納物（不図示）を収納可能な引出をスライド自在に収容可能な収納庫であれば、キッチン１００に備えられる収納庫以外にも本発明を適用することが可能である。
【００１７】
キッチン１００は１枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。天板１１０には、組み込み式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００１８】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１９】
次に、本実施形態の特徴である収納庫について説明する。上記説明したコンロキャビネット１２０、ベースキャビネット１３０、シンクキャビネット１４０のうち、ベースキャビネット１３０を例にとって説明する。図１に示すように、本実施形態の収納庫である１３０は、被収納物（不図示）を収納可能な引出１３２をスライド自在に収容可能である。
【００２０】
（収納庫）
図２は、ベースキャビネット１３０の引出１３２を説明する図である。本実施形態の収納庫であるベースキャビネット１３０（図１参照）は、図２に示す複数のポケット（左ポケット１５０ａおよび右ポケット１５０ｂ）およびスペーサー１６０を備える。左ポケット１５０ａおよび右ポケット１５０ｂは、引出１３２の前板１３４の裏側に配置される。左ポケット１５０ａは、ベースキャビネット１３０を前方から観察した際に前板１３４の裏側において左側に配置される幅が狭いポケットである。右ポケット１５０ｂは、ベースキャビネット１３０を前方から観察した際に前板１３４の裏側において右側に配置される幅が広いポケットである。これらの左ポケット１５０ａおよび右ポケット１５０ｂの上部は、スペーサー１６０によって連結される。
【００２１】
図３は、スペーサー１６０による複数のポケットの連結について説明する図である。図３（ａ）は、引出１３２から取り外した状態の左ポケット１５０ａ、右ポケット１５０ｂおよびスペーサー１６０を示す斜視図であり、図３（ｂ）は、左ポケット１５０ａおよび右ポケット１５０ｂのスペーサー１６０によって連結された連結箇所の拡大斜視図である。
【００２２】
図３（ａ）に示すように、左ポケット１５０ａおよび右ポケット１５０ｂの幅方向に延びる縁には、逆Ｌ字状の係止リブ１５２が形成されている。左ポケット１５０ａおよび右ポケット１５０ｂの奥行き方向に延びる縁では、互いに隣接する側において係止リブ１５２が切り欠かれた切欠き１５４が形成されている。すなわち、左ポケット１５０ａおよび右ポケット１５０ｂには、スペーサー１６０を取り付ける位置に切欠き１５４が設けられている。これにより、図３（ｂ）に示すように、左ポケット１５０ａおよび右ポケット１５０ｂをスペーサー１６０によって連結したときに、スペーサー１６０が切欠き１５４に入りこみ、スペーサー１６０の上面１６０ａの高さは、左ポケット１５０ａおよび右ポケット１５０ｂの上縁１５１の高さと同じとなる。
【００２３】
上記構成によれば、図２に示すように、スペーサー１６０によって連結された左ポケット１５０ａおよび右ポケット１５０ｂが引出１３２の前板１３４の裏側に配置されることにより、引出１３２の内部の収納空間は、左ポケット１５０ａおよび右ポケット１５０ｂによって区画される。このとき上述したように、スペーサー１６０の上面１６０ａは、左ポケット１５０ａおよび右ポケット１５０ｂの上縁１５１と同じ高さに位置する。したがって、スペーサー１６０の上面１６０ａが左ポケット１５０ａおよび右ポケット１５０ｂの上縁１５１よりも突出することがなく、それらが面一となる。これにより、引出１３２の内部に左ポケット１５０ａおよび右ポケット１５０ｂを設けた際の美観を好適に維持することが可能となる。
【００２４】
また本実施形態では、図３（ｂ）に示すように、スペーサー１６０は、その上面１６０ａから左ポケット１５０ａおよび右ポケット１５０ｂそれぞれの内側に向かって下降する傾斜面１６２を有している。これにより、左ポケット１５０ａおよび右ポケット１５０ｂへの被収納物の出し入れの際にスペーサー１６０が干渉しにくくなる。このため、左ポケット１５０ａおよび右ポケット１５０ｂへの被収納物の出し入れをスムーズに行うことができる。
【００２５】
図４は、スペーサー１６０の詳細図である。図４（ａ）は、スペーサー１６０の４面図およびＢ−Ｂ断面図であり、図４（ｂ）および図４（ｃ）は、左ポケット１５０ａおよび右ポケット１５０ｂおよびスペーサー１６０の模式的な断面図である。図４（ａ）に示すように、スペーサー１６０は、引出１３２の幅方向に延びる２つの横嵌合部１６４、および引出１３２の奥行き方向に延びて２つの横嵌合部１６４を接続する縦嵌合部１６６を有する。すなわち本実施形態のスペーサー１６０は、平面視では全体としてＨ字形状を有する。
【００２６】
図４（ａ）に示すように、縦嵌合部１６６の内部（下面）には所定間隔ごとにリブ１６６ａが形成されている。これにより、奥行き方向に長い縦嵌合部１６６の剛性を十分に担保することができる。またリブ１６６ａには、凹部１６６ｂが形成されている。一方、図４（ｂ）および図４（ｃ）に示すように、左ポケット１５０ａおよび右ポケット１５０ｂの縁には凸部１５６が形成されている。この凸部１５６がスペーサー１６０の凹部１６６ｂに挿入されることにより、スペーサー１６０が左ポケット１５０ａおよび右ポケット１５０ｂを確実に連結することが可能となる。さらに、スペーサー１６０の横嵌合部１６４には係止壁１６８が設けられている。かかる係止壁１６８は、後述する前板１３４の裏面のモール１３６に係止する。
【００２７】
図４（ｂ）に示す例では、左ポケット１５０ａと右ポケット１５０ｂとの隙間Ｄ１が狭い。この場合には、図４（ｂ）に示すように幅の小さいスペーサー１６０によって左ポケット１５０ａおよび右ポケット１５０ｂを連結する。一方、図４（ｃ）に示す例では、左ポケット１５０ａと右ポケット１５０ｂとの隙間Ｄ２が広い。このような場合には、図４（ｂ）に示すように幅の大きいスペーサー１６０によって左ポケット１５０ａと右ポケット１５０ｂを連結する。このように幅の異なるスペーサー１６０を複数用意しておくことにより、引出１３２の幅によって左ポケット１５０ａと右ポケット１５０ｂとの隙間が狭い場合および広い場合のいずれにも対応することができる。したがって、引出１３２の幅が異なる場合であっても共通の左ポケット１５０ａおよび右ポケット１５０ｂを採用することが可能となる。
【００２８】
図５は、ポケットの係止部１５６ａ・１５６ｂを説明する図である。図２、図５（ａ）に示すように、本実施形態の左ポケット１５０ａおよび右ポケット１５０ｂは、それぞれ係止部１５６ａ・１５６ｂを有する。係止部１５６ａ・１５６ｂは、引出１３２のギャラリーパイプ１０２に係止し、左ポケット１５０ａおよび右ポケット１５０ｂの幅方向への移動を規制する。
【００２９】
図５（ｂ）に示すように、引出１３２内に配置される２つのポケット（左ポケット１５０ａおよび右ポケット１５０ｂ）のうち、一方のポケットである右ポケット１５０ｂの係止部１５６ｂの幅Ｗ２は、ギャラリーパイプ１０２の直径Ｒに倣う幅である。これに対し、他方のポケットである左ポケット１５０ａの係止部１５６ａの幅Ｗ１は、右ポケット１５０ｂの係止部１５６ｂの幅Ｗ２より大きい、すなわちギャラリーパイプ１０２の直径Ｒよりも大きい。
【００３０】
上記構成によれば、引出１３２の側板１３８（図２参照）に面する２つのポケットのうち、右ポケット１５０ｂの係止部１５６ｂはギャラリーパイプ１０２にほぼ隙間なく係止し、左ポケット１５０ａの係止部１５６ａはギャラリーパイプ１０２に遊びを持った状態で係止することになる。したがって、ポケットやスペーサー１６０、ギャラリーパイプ１０２の寸法誤差を、ギャラリーパイプ１０２の直径よりも幅が広い係止部１５６ａにおいて吸収することが可能となる。
【００３１】
図６は、引出１３２の前板１３４へのポケットの固定について説明する図である。図６（ａ）は、図２のＡ−Ａ断面図であり、ポケットを引出１３２の前板１３４に固定した状態を示している。図６（ｂ）は、ポケットを引出１３２の前板１３４に固定していない状態での斜視図である。図６（ａ）および（ｂ）に示すように、引出１３２の前板１３４の裏面には、断面がクランク形状のモール１３６が取り付けられている。
【００３２】
左ポケット１５０ａおよび右ポケット１５０ｂを引出１３２に取り付ける際には、図６（ａ）に示すように、左ポケット１５０ａおよび右ポケット１５０ｂの係止リブ１５２をモール１３６に係止する。これにより、左ポケット１５０ａおよび右ポケット１５０ｂが前板１３４に取り付けられ、左ポケット１５０ａおよび右ポケット１５０ｂの奥行き方向への移動が規制される。前板１３４に取り付けられた状態において、左ポケット１５０ａおよび右ポケット１５０ｂの底面は引出１３２の底板１３９に接している。このため、左ポケット１５０ａおよび右ポケット１５０ｂ、ならびにそれらの内部に収納された被収納物の荷重は底面１３９によって支持される。
【００３３】
また本実施形態では、左ポケット１５０ａおよび右ポケット１５０ｂを連結するスペーサー１６０の係止壁１６８の断面形状（図４（ａ）参照）を、左ポケット１５０ａおよび右ポケット１５０ｂの係止リブ１５２の断面形状と同一としている。このため、左ポケット１５０ａおよび右ポケット１５０ｂをモール１３６に係止する際には、スペーサー１６０の１６８もモール１３６に係止する。したがって、モール１３６のスペーサー１６０に相当する位置に切欠きを形成する必要がなく、モール１３６の製造工程を簡略化することが可能となる。
【００３４】
また図６（ａ）に示すように、左ポケット１５０ａおよび右ポケット１５０ｂには、幅方向に延びる２つの縁（手前側と奥側の両方の縁）に係止リブ１５２が形成されている。したがって、本実施形態では、左ポケット１５０ａおよび右ポケット１５０ｂの左右を反転させてもモール１３６に取り付けることができる。これにより、使用者は自分が使いやすいようにポケットの配置を変更することができるため、利便性を高めることが可能となる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、被収納物を収納可能な引出をスライド自在に収容可能な収納庫に利用することができる。
【符号の説明】
【００３７】
１００…キッチン、１０２…ギャラリーパイプ、１１０…天板、１１２…コンロ、１１４…調理スペース、１１６…シンク、１２０…コンロキャビネット、１３０…ベースキャビネット、１３２…引出、１３４…前板、１３６…モール、１３８…側板、１３９…底面、１４０…シンクキャビネット、１５０ａ…左ポケット、１５０ｂ…右ポケット、１５１…上縁、１５２…係止リブ、１５４…切欠き、１５６…凸部、１５６ａ…係止部、１５６ｂ…係止部、１６０…スペーサー、１６０ａ…上面、１６２…傾斜面、１６４…横嵌合部、１６６…縦嵌合部、１６６ａ…リブ、１６６ｂ…凹部、１６８…係止壁
【図１】
2019195401.tif 000003
【図２】
2019195401.tif 000004
【図３】
2019195401.tif 000005
【図４】
2019195401.tif 000006
【図５】
2019195401.tif 000007
【図６】
2019195401.tif 000008